(57)【要約】  本特許出願は、二次キャリアが活動化または非活動化されたときをサービング無線ネットワーク制御装置に通知することと、サービング無線ネットワーク制御装置から、非サービングノードＢセルが同期を達成したという確認を受信することと、確認を受信した際に、ＵＥをスケジューリングすることとを備えた、二次キャリアを活動化または非活動化するための方法および装置を開示する。別の例では、本特許出願は、高速共用制御チャネル・オーダを使用して、二次キャリアの非活動化を制御することと、高速共用制御チャネル・オーダの肯定応答を受信することと、二次キャリアが非活動化されたときをサービング無線ネットワーク制御装置に通知することとを備えた、二次キャリアを非活動化するための方法および装置を開示する。
2012525798.tif 000002
【特許請求の範囲】
【請求項１】
二次キャリアを活動化または非活動化する方法であって、
二次キャリアが活動化または非活動化されたときをサービング無線ネットワーク制御装置に通知することと、
前記サービング無線ネットワーク制御装置から、非サービングノードＢセルが同期を達成したという確認を受信することと、
確認を受信した際に、ＵＥをスケジューリングすることと、
を具備する方法。
【請求項２】
近隣セルにおけるローディング状態の知識に基づいて、最大の送信ブロックサイズを適合させることを更に具備する、請求項１に記載の方法。
【請求項３】
前記二次キャリアは、ＤＣ−ＨＳＵＰＡに適するように構成されたＵＥがマルチプルのノードＢｓとソフトハンドオーバ状態にあるときに、活動化または非活動化される、請求項１に記載の二次キャリアを活動化または非活動化する方法。
【請求項４】
全てのユーザに関する最大の送信ブロックサイズを周期的に受信することを更に具備し、それによって、前記非サービングノードＢセルにおける干渉のインパクトは、前記二次キャリアが再活動化されるときに制限される、請求項１に記載の方法。
【請求項５】
二次キャリアの再活動化の際に、事前構成された最大のサービング許可を受信することを更に具備する、請求項１に記載の方法。
【請求項６】
前記二次キャリアが活動化または非活動化されたことを前記非サービングノードＢセルに通知することと、
同期が達成されたときを前記サービング無線ネットワーク制御装置に通知することと、
を更に具備する、請求項１に記載の方法。
【請求項７】
前記同期が達成されたときを前記サービング無線ネットワーク制御装置に通知することは、前記二次キャリアが活動化された後に発生する、請求項６に記載の方法。
【請求項８】
二次キャリアを非活動化する方法であって、
高速共用制御チャネル・オーダを使用して、前記二次キャリアの非活動化を制御することと、
前記高速共用制御チャネル・オーダの肯定応答を受信することと、
前記二次キャリアが非活動化されたときをサービング無線ネットワーク制御装置に通知することと、
を具備する方法。
【請求項９】
無線リンク障害を前記サービング無線ネットワーク制御装置に通知することと、
前記二次キャリア上の物理層同期手順を停止することと、
を更に具備する、請求項８に記載の方法。
【請求項１０】
二次キャリアを活動化する方法であって、
高速共用制御チャネル・オーダを使用して、前記二次キャリアの活動化を制御することと、
前記高速共用制御チャネル・オーダの肯定応答を受信することと、
前記二次キャリアが活動化されたときをサービング無線ネットワーク制御装置に通知することと、
を具備する方法。
【請求項１１】
前記二次キャリア上の物理層同期手順を再開することと、
修復された無線リンクのことを前記サービング無線ネットワーク制御装置に通知することと、
前記二次キャリア上のＵＥのアクティブセットにおいて全ての無線リンクが修復されたことの確認を送ることと、
を更に具備する、請求項１０に記載の方法。
【請求項１２】
二次キャリアを活動化または非活動化するための装置であって、
二次キャリアが活動化または非活動化されたときをサービング無線ネットワーク制御装置に通知するための手段と、
前記サービング無線ネットワーク制御装置から、非サービングノードＢセルが同期を達成したという確認を受信するための手段と、
確認を受信した際に、ＵＥをスケジューリングするための手段と、
を具備する装置。
【請求項１３】
近隣セルにおけるローディング状態の知識に基づいて、最大の送信ブロックサイズを適合させるための手段を更に具備する、請求項１２に記載の装置。
【請求項１４】
前記二次キャリアは、ＤＣ−ＨＳＵＰＡに適するように構成されたＵＥがマルチプルのノードＢｓとソフトハンドオーバ状態にあるときに、活動化または非活動化される、請求項１２に記載の二次キャリアを活動化または非活動化する装置。
【請求項１５】
全てのユーザに関する最大の送信ブロックサイズを周期的に受信するサービング無線ネットワーク制御装置を更に具備し、それによって、前記非サービングノードＢセルにおける干渉のインパクトは、前記二次キャリアが再活動化されるときに制限される、請求項１２に記載の装置。
【請求項１６】
二次キャリアの再活動化の際に、事前構成された最大のサービング許可を受信するための手段を更に具備する、請求項１２に記載の装置。
【請求項１７】
前記二次キャリアが活動化または非活動化されたことを前記非サービングノードＢセルに通知するための手段と、
同期が達成されたときを前記サービング無線ネットワーク制御装置に通知するための手段と、
を更に具備する、請求項１２に記載の装置。
【請求項１８】
前記同期が達成されたときを前記サービング無線ネットワーク制御装置に通知するための手段は、前記二次キャリアが活動化された後に発生する、請求項１７に記載の装置。
【請求項１９】
二次キャリアを非活動化するための装置であって、
高速共用制御チャネル・オーダを使用して、前記二次キャリアの非活動化を制御するための手段と、
前記高速共用制御チャネル・オーダの肯定応答を受信するための手段と、
前記二次キャリアが非活動化されたときをサービング無線ネットワーク制御装置に通知するための手段と、
を具備する装置。
【請求項２０】
無線リンク障害を前記サービング無線ネットワーク制御装置に通知するための手段と、
前記二次キャリア上の物理層同期手順を停止するための手段と、
を更に具備する、請求項１９に記載の装置。
【請求項２１】
二次キャリアを活動化するための装置であって、
高速共用制御チャネル・オーダを使用して、前記二次キャリアの活動化を制御するための手段と、
前記高速共用制御チャネル・オーダの肯定応答を受信するための手段と、
前記二次キャリアが活動化されたときをサービング無線ネットワーク制御装置に通知するための手段と、
を具備する装置。
【請求項２２】
前記二次キャリア上の物理層同期手順を再開するための手段と、
修復された無線リンクのことを前記サービング無線ネットワーク制御装置に通知するための手段と、
前記二次キャリア上のＵＥのアクティブセットにおいて全ての無線リンクが修復されたことの確認を送るための手段と、
を更に具備する、請求項２１に記載の装置。
【請求項２３】
二次キャリアが活動化または非活動化されたときをサービング無線ネットワーク制御装置に通知するための命令と、
前記サービング無線ネットワーク制御装置から、非サービングノードＢセルが同期を達成したという確認を受信するための命令と、
確認を受信した際に、ＵＥをスケジューリングするための命令と、
を具備する、コンピュータに二次キャリアを活動化または非活動化することを行なわせるためのコードを備えたコンピュータ可読媒体を具備する、コンピュータプログラムプロダクト。
【請求項２４】
近隣セルにおけるローディング状態の知識に基づいて、最大の送信ブロックサイズを適合させるための命令を更に具備する、請求項２３に記載のコンピュータプログラムプロダクト。
【請求項２５】
前記二次キャリアは、ＤＣ−ＨＳＵＰＡに適するように構成されたＵＥがマルチプルのノードＢｓとソフトハンドオーバ状態にあるときに、活動化または非活動化される、請求項２３に記載のコンピュータプログラムプロダクト。
【請求項２６】
全てのユーザに関する最大の送信ブロックサイズを周期的に受信するための命令を更に具備し、それによって、前記非サービングノードＢセルにおける干渉のインパクトは、前記二次キャリアが再活動化されるときに制限される、請求項２３に記載のコンピュータプログラムプロダクト。
【請求項２７】
二次キャリアの再活動化の際に、事前構成された最大のサービング許可を受信するための命令を更に具備する、請求項２３に記載のコンピュータプログラムプロダクト。
【請求項２８】
前記二次キャリアが活動化または非活動化されたことを前記非サービングノードＢセルに通知するための命令と、
同期が達成されたときを前記サービング無線ネットワーク制御装置に通知するための命令と、
を更に具備する、請求項２３に記載のコンピュータプログラムプロダクト。
【請求項２９】
前記同期が達成されたときを前記サービング無線ネットワーク制御装置に通知するための命令は、前記二次キャリアが活動化された後に発生する、請求項２８に記載のコンピュータプログラムプロダクト。
【請求項３０】
高速共用制御チャネル・オーダを使用して、二次キャリアの非活動化を制御するための命令と、
前記高速共用制御チャネル・オーダの肯定応答を受信するための命令と、
前記二次キャリアが非活動化されたときをサービング無線ネットワーク制御装置に通知するための命令と、
を具備する、コンピュータに前記二次キャリアを非活動化することを行なわせるためのコードを備えたコンピュータ可読媒体を具備する、コンピュータプログラムプロダクト。
【請求項３１】
無線リンク障害を前記サービング無線ネットワーク制御装置に通知するための命令と、
前記二次キャリア上の物理層同期手順を停止するための命令と、
を更に具備する、請求項３０に記載のコンピュータプログラムプロダクト。
【請求項３２】
高速共用制御チャネル・オーダを使用して、二次キャリアの活動化を制御するための命令と、
前記高速共用制御チャネル・オーダの肯定応答を受信するための命令と、
前記二次キャリアが活動化されたときをサービング無線ネットワーク制御装置に通知するための命令と、
を具備する、コンピュータに前記二次キャリアを活動化することを行なわせるためのコードを備えたコンピュータ可読媒体を具備する、コンピュータプログラムプロダクト。
【請求項３３】
前記二次キャリア上の物理層同期手順を再開するための命令と、
修復された無線リンクのことを前記サービング無線ネットワーク制御装置に通知するための命令と、
前記二次キャリア上のＵＥのアクティブセットにおいて全ての無線リンクが修復されたことの確認を送るための命令と、
を更に具備する、請求項３２に記載のコンピュータプログラムプロダクト。
【請求項３４】
二次キャリアを活動化または非活動化するためのノードＢであって、
プロセッサと、
前記プロセッサと電子通信状態にあるメモリと、
前記メモリ中に格納された命令とを具備し、前記命令は、
二次キャリアが活動化または非活動化されたときをサービング無線ネットワーク制御装置に通知し、
前記サービング無線ネットワーク制御装置から、非サービングノードＢセルが同期を達成したという確認を受信し、
確認を受信した際に、ＵＥをスケジューリングする、
ために前記プロセッサによって実行可能である、ノードＢ。
【請求項３５】
近隣セルにおけるローディング状態の知識に基づいて、最大の送信ブロックサイズを適合させるための命令を更に具備する、請求項３４に記載のノードＢ。
【請求項３６】
前記二次キャリアは、ＤＣ−ＨＳＵＰＡに適するように構成されたＵＥがマルチプルのノードＢｓとソフトハンドオーバ状態にあるときに、活動化または非活動化される、請求項３４に記載のノードＢ。
【請求項３７】
全てのユーザに関する最大の送信ブロックサイズを周期的に受信するための命令を更に具備し、それによって、前記非サービングノードＢセルにおける干渉のインパクトは、前記二次キャリアが再活動化されるときに制限される、請求項３４に記載のノードＢ。
【請求項３８】
二次キャリアの再活動化の際に、事前構成された最大のサービング許可を受信するための命令を更に具備する、請求項３４に記載のノードＢ。
【請求項３９】
前記二次キャリアが活動化または非活動化されたことを前記非サービングノードＢセルに通知するための命令と、
同期が達成されたときを前記サービング無線ネットワーク制御装置に通知するための命令と、
を更に具備する、請求項１２に記載のノードＢ。
【請求項４０】
前記同期が達成されたときを前記サービング無線ネットワーク制御装置に通知するための命令は、前記二次キャリアが活動化された後に発生する、請求項３９に記載のノードＢ。
【請求項４１】
二次キャリアを非活動化するためのノードＢであって、
プロセッサと、
前記プロセッサと電子通信状態にあるメモリと、
前記メモリ中に格納された命令とを具備し、前記命令は、
高速共用制御チャネル・オーダを使用して、前記二次キャリアの非活動化を制御し、
前記高速共用制御チャネル・オーダの肯定応答を受信し、
前記二次キャリアが非活動化されたときをサービング無線ネットワーク制御装置に通知する、
ために前記プロセッサによって実行可能である、ノードＢ。
【請求項４２】
無線リンク障害を前記サービング無線ネットワーク制御装置に通知するための命令と、
前記二次キャリア上の物理層同期手順を停止するための命令と、
を更に具備する、請求項４１に記載のノードＢ。
【請求項４３】
二次キャリアを活動化するためのノードＢであって、
プロセッサと、
前記プロセッサと電子通信状態にあるメモリと、
前記メモリ中に格納された命令とを具備し、前記命令は、
高速共用制御チャネル・オーダを使用して、前記二次キャリアの活動化を制御し、
前記高速共用制御チャネル・オーダの肯定応答を受信し、
前記二次キャリアが活動化されたときをサービング無線ネットワーク制御装置に通知する、
ために前記プロセッサによって実行可能である、ノードＢ。
【請求項４４】
前記二次キャリア上の物理層同期手順を再開するための命令と、
修復された無線リンクのことを前記サービング無線ネットワーク制御装置に通知するための命令と、
前記二次キャリア上のＵＥのアクティブセットにおいて全ての無線リンクが修復されたことの確認を送るための命令と、
を更に具備する、請求項４３に記載の装置。
【発明の詳細な説明】
【関連出願の相互参照】
【０００１】
本願は、３５Ｕ．Ｓ．Ｃ．§１１９の下で、特許仮出願第６１／１７４，３９６号（２００９年４月３０日に出願された「ＤＣ−ＨＳＵＰＡにおける二次ＵＬキャリアの活動化／非活動化（Activation/Deactivation of Secondary UL Carrier in DC-HSUPA）」）の利益を主張するものである。
【技術分野】
【０００２】
本願は、デュアルセル高速アップリンク・パケット・アクセス（ＤＣ−ＨＳＵＰＡ）における二次ＵＬキャリアの活動化および非活動化に関連する。
【背景技術】
【０００３】
ユニバーサル・モバイル・テレコミュニケーション・システム（ＵＭＴＳ）は、第３世代（３Ｇ）モバイル電話技術（または、第３世代無線モバイル通信技術）のうちの１つである。ＵＭＴＳネットワークは、１）コアネットワーク（ＣＮ）、２）ＵＭＴＳ地上無線アクセスネットワーク（ＵＴＲＡＮ）、および３）ユーザ機器（ＵＥ）から成る。コアネットワークの作業は、ユーザトラフィックのためにルーティング、スイッチング（switching）、および運搬（transit）を提供する。ジェネラルパケット無線サービス（ＧＰＲＳ）を有するグローバル移動体通信システム（ＧＳＭ）（登録商標）ネットワークは、ＵＭＴＳが基づく基本的なコアネットワーク・アーキテクチャである。ＵＴＲＡＮは、ユーザ機器のためにエアインタフェース・アクセス方法を提供する。基地局は、ノードＢと称され、また、ノードＢｓのための制御機器は、無線ネットワーク制御装置（ＲＮＣ）と呼ばれる。エアインタフェースに関して、ＵＭＴＳは、広帯域符号分割多元接続（またはＷ−ＣＤＭＡ）として知られる広帯域スペクトラム拡散のモバイル・エアインタフェースを最も一般的に使用する。Ｗ−ＣＤＭＡは、ユーザを分割するために、直接シーケンスの符号分割多元接続シグナリング方式（またはＣＤＭＡ）を使用する。
【０００４】
ＵＭＴＳ地上無線アクセスネットワーク（ＵＴＲＡＮ）は、ＵＭＴＳ無線アクセスネットワークを構成する、それが含むノードＢｓ（または基地局）およびノードＢｓのための制御機器（または無線ネットワーク制御装置（ＲＮＣ））を表わす全体語である。これは、リアルタイムの回線交換とＩＰベースのパケット交換の両方のトラフィックタイプを搬送することができる３Ｇ通信ネットワークである。ＲＮＣは、１つまたは複数のノードＢｓのために制御機能を提供する。接続性は、ＵＴＲＡＮによって、ＵＥ（ユーザ機器）とコアネットワークとの間に提供される。
【０００５】
ＵＴＲＡＮは、４つのインタフェース：Ｉｕ、Ｕｕ、ＩｕｂおよびＩｕｒによって、他の機能エンティティ（entity）に内部的または外部的に接続される。ＵＴＲＡＮは、Ｉｕと呼ばれる外部インタフェースを介してＧＳＭコアネットワークに接続される。無線ネットワーク制御装置（ＲＮＣ）は、このインタフェースをサポートする。加えて、ＲＮＣは、Ｉｕｂとラベル付けされたインタフェースを通じて、ノードＢｓと呼ばれる基地局のセットを管理する。Ｉｕｒインタフェースは、２つのＲＮＣｓを互いに接続させる。ＲＮＣｓがＩｕｒインタフェースによって相互接続されているので、ＵＴＲＡＮは、コアネットワークから大部分は自律している。図１は、ＲＮＣと、ノードＢｓと、ＩｕおよびＵｕのインタフェースとを使用する通信システムを開示している。Ｕｕはまた、外部にあり、ノードＢをＵＥと接続しており、一方で、Ｉｕｂは、ＲＮＣをノードＢと接続している内部インタフェースである。
【０００６】
ＲＮＣは、マルチプル（multiple）の役割を果たす。第１に、それは、ノードＢを使用しようと試みる新しいモバイルまたはサービスの承認（admission）を制御することができる。第２に、ノードＢ（すなわち、基地局）の観点からは、このＲＮＣは、制御ＲＮＣである。承認を制御することは、モバイルが、無線リソース（帯域幅および信号／雑音比）を、ネットワークが有する最大の利用可能なところまで、割り当てられることを保証する。それは、ノードＢのＩｕｂインタフェースがターミネート(terminate)するところである。ＵＥ（すなわち、モバイル）の観点からは、ＲＮＣは、それがモバイルのリンク層通信をターミネートするサービングＲＮＣとして機能する。コアネットワークの観点からは、サービングＲＮＣが、ＵＥに関するＩｕをターミネートする。サービングＲＮＣはまた、そのＩｕインタフェース上でコアネットワークを使用しようと試みる新しいモバイルまたはサービスの承認を制御する。
【０００７】
ＵＭＴＳシステムでは、ユニバーサル地上無線アクセス（ＵＴＲＡ）の周波数分割二重通信（ＦＤＤ）チャネル及びＵＴＲＡの時分割二重通信（ＴＤＤ）チャネルは、データを通信するために使用されうる。ユーザ機器が、それを通じてノードＢに信号を送る通信リンクは、アップリンクと呼ばれる。ノードＢｓにおいて干渉除去を適用することは、それらにより高いデータレートで送信を受信することを可能にし、すなわち、干渉除去は、アップリンク上のデータレートを増加させるであろう。これはまた、アップリンク上の容量を増加させることができる。
【０００８】
本特許出願の装置および方法は、先行技術の制限を克服して、改良されたメモリ設計を提供することに向けられる。
【発明の概要】
【０００９】
上記を考慮して、本発明の説明される特徴は、一般的には二次キャリアの改良された活動化または非活動化のための１つまたは複数の改良されたシステム、方法および／または装置に関する。第１の例では、本特許出願は、二次キャリアが活動化または非活動化されたときをサービング無線ネットワーク制御装置に通知することと、サービング無線ネットワーク制御装置から、非サービングノードＢセルが同期を達成したという確認を受信することと、確認を受信した際に、ＵＥをスケジューリングすることとを備えた、二次キャリアを活動化または非活動化するための方法および装置を具備する。
【００１０】
別の例では、方法および装置は、近隣セルにおけるローディング状態の知識に基づいて、最大の送信ブロックサイズを適合させることを更に具備する。別の例では、二次キャリアは、ＤＣ−ＨＳＵＰＡに適するように構成されたＵＥが、マルチプルのノードＢｓとソフトハンドオーバ状態にあるときに活動化または非活動化される。
【００１１】
別の例では、方法および装置は、全てのユーザに関する最大の送信ブロックサイズを周期的に受信することを更に具備し、それによって、非サービングノードＢセルにおける干渉のインパクト（impact）は、二次キャリアが再活動化されるときに制限される。
【００１２】
別の例では、方法および装置は、二次キャリアの再活動化の際に、事前構成された最大のサービング許可を受信することを更に具備する。
【００１３】
別の例では、方法および装置は、二次キャリアが活動化または非活動化されたことを非サービングノードＢセルに通知することと、同期が達成されたときをサービング無線ネットワーク制御装置に通知することとを更に具備する。別の例では、同期が達成されたときをサービング無線ネットワーク制御装置に通知することは、二次キャリアが活動化された後に発生する。
【００１４】
別の例では、本特許出願は、高速共用制御チャネル・オーダ（order）を使用して、二次キャリアの非活動化を制御することと、高速共用制御チャネル・オーダの肯定応答を受信することと、二次キャリアが非活動化されたときをサービング無線ネットワーク制御装置に通知することとを備えた、二次キャリアを非活動化するための方法および装置を具備する。
【００１５】
別の例では、方法および装置は、無線リンク障害をサービング無線ネットワーク制御装置に通知することと、二次キャリア上の物理層同期手順を停止することとを更に具備する。
【００１６】
別の例では、本特許出願は、高速共用制御チャネル・オーダを使用して、二次キャリアの活動化を制御することと、高速共用制御チャネル・オーダの肯定応答を受信することと、二次キャリアが活動化されたときをサービング無線ネットワーク制御装置に通知することとを備えた、二次キャリアを活動化するための方法および装置を具備する。
【００１７】
別の例では、方法および装置は、二次キャリア上の物理層同期手順を再開することと、修復された無線リンクのことをサービング無線ネットワーク制御装置に通知することと、二次キャリア上のＵＥのアクティブセットにおいて全ての無線リンクが修復されたことの確認を送ることとを更に具備する。
【００１８】
これらの方法および装置の適用性の更なる範囲は、次の詳細な説明、特許請求の範囲、および図面から明白になるであろう。しかしながら、本発明の趣旨（spirit）および範囲内の様々な変更および修正が、当業者に明白になるので、詳細な説明および特定の例は、本発明の好ましい例を示している一方で、単に例示として与えられていることが理解されるべきである。
【００１９】
ここに開示される方法および装置の特徴、目的、および利点は、同様の参照文字が全体にわたって同一と見なされる図面と関連して考慮されるときに、下に記載される詳細な説明からより明白になるであろう。
【図面の簡単な説明】
【００２０】
【図１】図１は、ユニバーサル・モバイル・テレコミュニケーション・システム（ＵＭＴＳ）を例示するブロック図である。
【図２】図２は、キャリア毎の独立アクティブセット：Ｆ１（Ａ）、Ｆ２（Ｂ）を例示する図である。
【図３】図３は、二次キャリアがサービングノードＢセルによって活動化または非活動化されるときに取られるステップを例示するフロー図である。
【図４】図４は、二次キャリアの再活動化の際の最大のサービング許可の事前構成を例示する図である。
【図５】図５は、情報が、ＵＥ、ノードＢｓ、およびＲＮＣの間で交換される、二次キャリアの非活動化を例示する図である。
【図６】図６は、情報が、ＵＥ、ノードＢｓ、およびＲＮＣの間で交換される、二次キャリアの活動化を例示する図である。
【図７】図７は、情報が、ＵＥ、ノードＢｓ、およびＲＮＣの間で交換される、二次キャリアの非活動化中に取られるステップを例示するフロー図である。
【図８】図８は、情報が、ＵＥ、ノードＢｓ、およびＲＮＣの間で交換される、二次キャリアの活動化中に取られるステップを例示するフロー図である。
【図９】図９は、パケット・ネットワーク・インタフェースと通信状態にある無線ネットワーク制御装置（ＲＮＣ）およびノードＢを例示する図である。
【図１０】図１０は、本特許出願によるＵＥ １０の例を例示する図である。
【発明を実施するための形態】
【００２１】
添付図面と関連して下に記載される詳細な説明は、本発明の典型的な例の説明として意図されており、本発明が実施されうる例のみを表わすようには意図されない。「典型的」という用語は、この説明の全体にわたって、「例、事例、または例示を提供する」という意味で用いられ、他の例に対して、必ずしも好ましいあるいは有利であるようには解釈されるべきでない。詳細な説明は、本発明の完全な理解を提供する目的のために、特定の詳細を含む。しかしながら、本発明が、これらの特定の詳細なしで実施されうることは、当業者にとって明白であろう。いくつかの事例では、周知の構造およびデバイスが、本発明の概念を不明瞭にすることを避けるためにブロック図形式で示されている。
【００２２】
第３世代パートナシップ・プロジェクト（３ＧＰＰ）は、１９９８年１２月に設立された共同協定（collaboration agreement）である。これは、ＡＲＩＢ／ＴＴＣ（日本）、ＥＴＳＩ（欧州）、ＡＴＩＳ（北米）、ＣＣＳＡ（中国）およびＴＴＡ（韓国）の間の協力である。３ＧＰＰの目的（scope）は、ＩＴＵのＩＭＴ−２０００プロジェクトの範囲内の第３世代（３Ｇ）モバイルホン・システム仕様を国際的に適用可能にすることである。３ＧＰＰ仕様は、発展型ＧＳＭ仕様に基づいており、それは、一般的にＵＭＴＳシステムとして知られている。３ＧＰＰ標準は、リリース（Releases）として構成されている。したがって、３ＧＰＰの論述は、しばしば何れかのリリースにおける機能を参照している。例えば、リリース９９は、ＣＤＭＡエアインタフェースを盛り込んでいる第１のＵＭＴＳ ３Ｇネットワークを明記している。リリース６は、オペレーションを無線ＬＡＮネットワークと統合して、高速アップリンク・パケット・アクセス（ＨＵＳＰＡ）を追加している。リリース８では、ＵＭＴＳは、ＩＰベースの第４世代ネットワークとしてリファクタリング（refactored)されている。
【００２３】
キャリアの活動化
下記は、ＤＣ−ＨＳＵＰＡにおけるキャリアの活動化に関する特徴である。１）無線ネットワーク制御装置（ＲＮＣ）の再構成は、ほとんど常に可能であり、例えば、周波数間ハンドオーバ（ＩＦＨＯ：Inter Frequency Handover）は、２つのキャリア間のサービングセルの変更のために使用されうる。（上述されたように、無線ネットワーク制御装置は、ノードＢｓのための制御機器である）。
【００２４】
２）二次サービング高速ダウンリンク共用チャネル（ＨＳ−ＤＳＣＨ）セルが、使用不可／非活動化されるたびに、二次サービング・エンハンスト（enhanced）専用チャネル（Ｅ−ＤＣＨ）セルもまた、使用不可／非活動化される。高速ダウンリンク共用チャネル（ＨＳ−ＤＳＣＨ）は、ＵＭＴＳ仕様のリリース５に定義される、ダウンリンク・データレートを増加させるためにＵＭＴＳに追加されたチャネルである。ＨＳ−ＤＳＣＨは、拡散率１６を使用できる（コードとしても知られている）１つまたはいくつかの物理チャネル上にマップされうる。ＨＳ−ＤＳＣＨは、それらのインタラクティブ／バックグランド無線アクセス・ベアラのために、ＨＳＰＤＡを使用している全てのユーザ間で共用されるトランスポート・チャネルとしての役目を果たす。エンハンスト専用チャネル（Ｅ−ＤＣＨｓ）は、ＵＭＴＳのリリース６において導入された高いデータレートのアップリンク・チャネルである。Ｅ−ＤＣＨは、エンハンスト制御部（例えば、Ｅ−ＤＣＨ専用物理制御チャネル（Ｅ−ＤＰＣＣＨ））およびエンハンストデータ部（例えば、ＵＭＴＳプロトコルに従うＥ−ＤＣＨ専用物理データチャネル（Ｅ−ＤＰＤＣＨ））を含む。
【００２５】
３）サービングノードＢは、高速共用制御チャネル（ＨＳ−ＳＣＣＨ）・オーダ（例えば、Ｒｅｌ−８のＤＣ−ＨＳＤＰＡのために導入された、既存のＨＳ−ＳＣＣＨオーダのタイプにおける別のビット）を使用して、二次キャリアの（非）活動化を制御することができ、これは、アクティブセットのサイズが１である場合にサポートされる。高速共用制御チャネル（ＨＳ−ＳＣＣＨ）は、ＵＭＴＳ仕様のリリース５に定義されており、ＨＳＤＰＡの一部である。これは、ダウンリンク・データレートを増加させるためにＵＭＴＳに追加されたチャネルである。
【００２６】
ＵＥがソフトハンドオーバ状態にあるときの二次サービングＥ−ＤＣＨセルのサービングノードＢにより制御された（非）活動化
サービングノードＢは、アクティブセットのサイズが１であるときに、ＵＥの（非）活動化を制御することができる。これはまた、ＵＥのアクティブセットが、（ソフターハンドオーバの場合を考慮に入れるために）単一のノードＢに属するセルから成るかぎり、アクティブセットのサイズ＞１の場合に適用される。下記は、ＵＥのアクティブセットがマルチプルのノードＢｓに属するセルから成るときに、（非）活動化を制御することをサービングノードＢに可能にするときに起こりうる問題に取り組む。
【００２７】
３．１  非サービングノードＢセルにおける偶発的な（accidental）無線リンク削除
ＵＥが、サービングノードＢセルからのＨＳ−ＳＣＣＨオーダの成功した受信を介して、二次キャリアを非活動化するとき、ある時間後に、非サービングノードＢセルは、非同期（out-of-sync）状態に遷移するであろう。時間期間Ｔ＿ＲＬＦＡＩＬＵＲＥが、持続している非同期インジケーションと共に経過した後に、無線リンク障害手順は、そのとき、これらのノードＢｓにおいてトリガーされうる。二次キャリアが非活動化されたことを知らないので、サービング無線ネットワーク制御装置（Ｓ−ＲＮＣ）においては、非サービングノードＢセルにおける無線リンクが悪い無線状態により障害を起こしたか、あるいは二次キャリアが非活動化されたかについては、あいまい性が存在する。したがって、Ｓ−ＲＮＣは、誤って無線リンクを削除しうる。
【００２８】
３．２  非サービングノードＢセルにおける無駄なサーチ
Ｓ−ＲＮＣが、非サービングノードＢセルにおける無線リンクを削除しないと決定した場合には、二次アップリンク・キャリアが非活動化されたままである限り、非サービングノードＢセルは、ＵＥをサーチしようと試みて、不必要に物理層のリソースを浪費しうる。
【００２９】
３．３  各キャリア上の独立アクティブセット：非サービングノードＢセルにおけるサーチ要件の増加
各々のキャリア上のＵＥのアクティブセットが独立している場合には、非サービングノードＢセルが、二次キャリア上でのみ送信および受信することが可能である（図２）。図２は、キャリア毎の独立アクティブセット：Ｆ１（Ａ）、Ｆ２（Ｂ）を例示している。この場合において、二次キャリアが、サービングノードＢセルによって非活動化されるときには、位相レファレンス（phase reference）がないため、非サービングノードＢは、より広いサーチ・ウィンドウにわたってＵＥをサーチしうる。これは、今度は（in turn）、二次キャリアが再活動化されるときには、物理層同期の達成における遅延のみならず、非サービングノードＢのサーチャ（searcher）処理の増加という結果にもなる。
【００３０】
３．４  非サービングノードＢセルにおける干渉のインパクト
ＷＣＤＭＡにおけるマクロ・ダイバーシチがない場合は、パワー制御がないため、非サービングノードＢセルにおける干渉のインパクトが存在しうる。ソフトハンドオーバ（ＳＨＯ）ＵＥｓのための一次セルのみのスケジューリングをマルチプルセルのスケジューリングと比較するために、リリース６におけるエンハンスト・アップリンク上で実行されるシステム・パフォーマンスのシステムレベルのシミュレーションの結果に基づき、マルチプルセルのスケジューリングは、同じＲｏＴレベルにおいて、サービングセルのみのスケジューリングよりも、１５％改善されたセルのスループットを達成することが観察された。
【００３１】
リリース８では、ＣＥＬＬ＿ＦＡＣＨステートにおけるエンハンスト・アップリンク（ＥＵＬ）の間は、ＣＥＬＬ＿ＦＡＣＨユーザにおけるエンハンスト・アップリンクの干渉のインパクトは、著しくありうる。これらのユーザは、ＣＥＬＬ＿ＦＡＣＨステートにおいて、マクロ・ダイバーシチを使用しないことがあり、また、パワー制御およびレート制御がない場合は、これらがソフトハンドオーバ領域にあるときに、近隣セルにおいて著しい干渉のインパクトを引き起こしうることが留意される。ＵＴＲＡＮは、ＵＥに多くの無線リソース制御（ＲＲＣ）ステートの間で遷移するように指示することができる。このようなステートの１つが、Ｃｅｌｌ＿ＦＡＣＨステートである。Ｃｅｌｌ＿ＦＡＣＨステートは、専用チャネルを使用せず、順方向アクセスチャネル（ＦＡＣＨ）によって特徴付けられる。ＣＥＬＬ＿ＦＡＣＨステートでは、ＵＥは、それ自体のモビリティ（mobility）を独立して制御して、近隣セルが現在のセルよりも良い品質を有するとすぐに、セルスイッチを開始しうることが留意される。ＣＥＬＬ＿ＦＡＣＨステートは、下記によって特徴付けられる：ａ）何れの専用物理チャネルも、ＵＥに割り当てられていない。ｂ）ＵＥは、連続的にダウンリンクにおける順方向アクセスチャネル（ＦＡＣＨ）をモニターする。ｃ）ＵＥは、そのトランスポート・チャネルに関するアクセス手順により、それが常に使用可能なアップリンクにおけるデフォルトの共通または共用のトランスポート・チャネル（例えば、ＲＡＣＨ）を割り当てられる。ｄ）ＵＥのポジションは、ＵＥが最後にセル更新を行なったセルに従って、セルレベルでＵＴＲＡＮによって知られている。ｅ）ＴＤＤモードでは、１つまたはいくつかのＵＳＣＨまたはＤＳＣＨのトランスポート・チャネルが、確立されていることがありうる。
【００３２】
ＵＥの二次キャリアが、Ｔ＿ＲＬＦＡＩＬＵＲＥの満了の前に、サービングノードＢセルによって動的に活動化される場合には、非サービングノードＢセルは、ある時間期間の間、セル間干渉を受けやすい。この干渉は、非サービングノードＢセルが、大きなサーチ・ウィンドウをカバーし、同期（in-sync）ステートに遷移し、無線リンク（ＲＬ）修復手順をトリガーするのに要する時間の間存在する。この追加された干渉は、システムの容量およびカバレッジにインパクトを与える。
【００３３】
３．５  ＵＥが、二次キャリアが非活動化されている間に、ソフトハンドオーバ領域に入る
たとえＵＥが、二次キャリアが非活動化されたときにソフトハンドオーバ状態になかったとしても、このキャリアが非活動化された期間の間、ＵＥは、ソフトハンドオーバ領域に入ることができる。ＵＴＲＡＮが、新しいアクティブセットのメンバーを追加しようとするときまでには、サービングノードＢは、二次キャリアを再活動化することができ、また、その場合には、非サービングノードＢセルがＵＥのアクティブセットに追加されるまで、ＵＥは、この候補の非サービングノードＢセルに干渉を引き起こしうる。
【００３４】
解決策
下記は、ＵＥがソフトハンドオーバ状態にあるときに、二次サービングＥ−ＤＣＨセルのサービングノードＢにより制御された活動化または非活動化の課題を解決するための方法および装置を開示している。特に、下記のとおり、複数の情報が、アクティブセットにおける全てのノードＢｓとＳ−ＲＮＣとの間で、Ｉｕｂインタフェース上で交換される、次のステップの使用がある：
サービングノードＢセルは、サービングノードＢセルによって二次キャリアが活動化または非活動化されたときをＳ−ＲＮＣに通知する（図３のステップ４１０）。
【００３５】
二次キャリアが再活動化されるときに非サービングノードＢセルにおける干渉のインパクトを制限する手段として、Ｓ−ＲＮＣは、サービングノードＢセルへ、全てのユーザ（我々は、セクション３．５における理論（reasoning）に基づき、非ＳＨＯ（non-SHO）ユーザを含める）に関する最大の送信ブロックサイズ（ＴＢＳ）または最大のサービング許可を周期的に送信することができる（ステップ４１５）。
【００３６】
この最大ＴＢＳは、近隣セルにおけるローディング状態の知識に基づいて、その時々に、適合されうる。ＵＥがこのノードＢにのみ接続されている（すなわち、他のノードＢが、ＵＥのアクティブセットに存在しない）場合には、サービングノードＢセルは、この特徴を適用する必要がないことに留意されたい。
【００３７】
Ｓ−ＲＮＣは、サービングノードＢセルによって二次キャリアが活動化または非活動化されたことを非サービングノードＢセルに通知する。この情報は、非サービングノードＢセルに、物理層同期手順（ノードＢにおけるサーチャ機能）を開始および停止することを可能にすることができる（ステップ４２０）。
【００３８】
二次キャリアが活動化された後に、非サービングノードＢセルは、（ノードＢにおける無線リンク修復手順を介して）同期が達成されたときをＳ−ＲＮＣに通知する（ステップ４２５）。
【００３９】
Ｓ−ＲＮＣは、非サービングノードＢセルが同期を達成したという確認をサービングノードＢセルに送り、この確認を受信した際に、サービングノードＢセルは、ＵＥを自由にスケジュールすることができる、すなわち、二次キャリアが活動化されたときに適用されたトランスポート・ブロックサイズの上限を取り払うことができる（ステップ４３０）。
【００４０】
このような解決策は、ＵＥが、二次キャリア上で直ちに送信し始めることを保証することができる。１つの例では、非サービングノードＢセルが、二次キャリアの物理層同期を達成するまでは、これは、制限されたレートでありうる。
【００４１】
図４乃至図６では、図１のようなソフトハンドオーバのシナリオを仮定して、本特許出願は、提案された解決策を例示するハイレベル呼フロー図を開示している。図４は、二次キャリアの再活動化の際の最大のサービング許可の事前構成を例示している。図５は、情報が、ＵＥ、ノードＢｓ、およびＲＮＣの間で交換される、二次キャリアの非活動化を例示している。図６は、情報が、ＵＥ、ノードＢｓ、およびＲＮＣの間で交換される、二次キャリアの活動化を例示している。
【００４２】
図７は、情報が、ＵＥ、ノードＢｓ、ＲＮＣの間で交換される、二次キャリアの非活動化中に取られるステップを例示するフロー図である。サービングノードＢは、高速共用制御チャネル（ＨＳ−ＳＣＣＨ）・オーダを使用して、二次キャリアｆ２の非活動化を制御する（図７のステップ５０３）。高速共用制御チャネル（ＨＳ−ＳＣＣＨ）・オーダが、肯定応答（ＡＣＫ）される（ステップ５０７）。サービングノードＢセルは、サービングノードＢセルによって二次キャリアが非活動化されたときをＳ−ＲＮＣに通知する（図７のステップ５１０）。非サービングノードＢセルは、無線リンク障害をＳ−ＲＮＣに通知する（ステップ５１５）。Ｓ−ＲＮＣは、非サービングノードＢに、ｆ２上の物理層同期手順を停止するように通知する（ステップ５２０）。
【００４３】
図８は、情報が、ＵＥ、ノードＢｓ、およびＲＮＣの間で交換される、二次キャリアの活動化中に取られるステップを例示するフロー図である。サービングノードＢは、高速共用制御チャネル（ＨＳ−ＳＣＣＨ）・オーダを使用して、二次キャリアｆ２の活動化を制御する（図８のステップ６０３）。高速共用制御チャネル（ＨＳ−ＳＣＣＨ）・オーダが、肯定応答（ＡＣＫ）される（ステップ６０７）。サービングノードＢセルが、サービングノードＢセルによって二次キャリアが活動化されたときをＳ−ＲＮＣに通知する（図８のステップ６１０）。Ｓ−ＲＮＣは、非サービングノードＢに、ｆ２上の物理層同期手順を再開するように通知する（ステップ６１５）。非サービングノードＢセルは、修復された無線リンクのことをＳ−ＲＮＣに通知する（ステップ６２０）。Ｓ−ＲＮＣは、全ての無線リンクが、ｆ２上のＵＥのアクティブセットにおいて修復されたことの確認を送る（ステップ６２５）。
【００４４】
本特許出願は、ＤＣ−ＨＳＵＰＡに適するように構成されたＵＥが、マルチプルのノードＢｓとソフトハンドオーバ状態にあるときの、サービングノードＢによって制御された二次キャリアの活動化／非活動化の問題に取り組む。ロバストな（robust）解決策は、セル間干渉の緩和方法に基づいている。これらの方法および装置は、Ｓ−ＲＮＣとノードＢセルとの間の情報の関連する（relevant）交換を可能にし、情報は、二次キャリアが活動化／非活動化されたときを示し、かつ、二次キャリアの活動化と、全ての非サービングノードＢセルが二次キャリア上のＵＥと同期したときの時間と、の間の期間にわたって、マルチプルのノードＢｓとソフトハンドオーバ状態にあるＵＥｓをスケジュールするために、サービング許可またはＴＢＳを制限する。活動化／非活動化のためのＨＳ−ＳＣＣＨオーダの仕様がまた、示される。
【００４５】
通信システムは、単一のキャリア周波数またはマルチプルのキャリア周波数を使用することができる。各リンクは、異なる数のキャリア周波数を組み込むことができる。更に、アクセス端末１０は、例えば、光ファイバーまたは同軸ケーブルを使用して、有線チャネルを通じてあるいは無線チャネルを通じて通信する任意のデータデバイスでありうる。アクセス端末１０は、限定はされないが、ＰＣカード、コンパクト・フラッシュ、外部または内部のモデム、あるいは無線またはワイヤラインの電話を含む任意の多くのタイプのデバイスでありうる。アクセス端末１０はまた、ユーザ機器（ＵＥ）、遠隔局、モバイル局、または加入者局として知られている。また、ＵＥ １０は、モバイルまたは固定でありうる。
【００４６】
１つまたは複数のノードＢｓ ２０とアクティブトラフィックチャネル接続を確立したユーザ機器１０は、アクティブユーザ機器１０と呼ばれ、トラフィックステートにあると考えられる。１つまたは複数のノードＢｓ ２０とアクティブトラフィックチャネル接続を確立するプロセスにおけるユーザ機器１０は、接続セットアップステートにあると考えられる。ユーザ機器１０は、例えば、光ファイバーまたは同軸ケーブルを使用して、有線チャネルを通じてあるいは無線チャネルを通じて通信する任意のデータデバイスでありうる。ユーザ機器１０が、それを通じてノードＢ ２０に信号を送る通信リンクは、アップリンクと呼ばれる。ノードＢ ２０が、それを通じてユーザ機器１０に信号を送る通信リンクは、ダウンリンクと呼ばれる。
【００４７】
図９が、ここで以下に詳述され、具体的には、ノードＢ ２０および無線ネットワーク制御装置６５がパケット・ネットワーク・インタフェース１４６とインタフェースする。ノードＢ ２０および無線ネットワーク制御装置６５は、無線ネットワークサーバ（ＲＮＳ）６６の一部でありうる。送信される関連するデータ量が、ノードＢ ２０におけるデータキュー１７２から取り出されて（retrieved）、データキュー１７２と関連付けられる遠隔局１０への送信のために、チャネル・エレメント１６８に提供される。
【００４８】
無線ネットワーク制御装置６５は、パケット・ネットワーク・インタフェース１４６、公衆スイッチ電話ネットワーク（ＰＳＴＮ）１４８、および通信システム１００内の全てのノードＢｓ ２０（図９においては、簡略化のために１つのノードＢ ２０のみが示されている）とインタフェースする。無線ネットワーク制御装置６５は、通信システム内の遠隔局１０と、パケット・ネットワーク・インタフェース１４６およびＰＳＴＮ １４８に接続されている他のユーザとの間の通信を調整する。ＰＳＴＮ １４８は、標準電話ネットワーク（図９に図示せず）を通じてユーザとインタフェースする。
【００４９】
無線ネットワーク制御装置６５は、多くのセレクタ・エレメント１３６を含む。ただし、簡略化のために図９では１つだけが示されている。各セレクタ・エレメント１３６は、１つまたは複数のノードＢｓ ２０と１つの遠隔局１０（図示せず）との間の通信を制御するように割り当てられる。セレクタ・エレメント１３６が、所与のユーザ機器１０に割り当てられていない場合、呼制御プロセッサ１４１に遠隔局をページする必要性が通知される。次に、呼制御プロセッサ１４１は、遠隔局１０をページするようにノードＢ ２０に指示する。
【００５０】
データソース１２２は、所与の遠隔局１０へ送信されることになっているある量のデータを含む。データソース１２２は、パケット・ネットワーク・インタフェース１４６にデータを提供する。パケット・ネットワーク・インタフェース１４６は、データを受信して、セレクタ・エレメント１３６へデータを送る（routes）。次に、セレクタ・エレメント１３６は、ターゲット遠隔局１０と通信状態にあるノードＢ ２０にデータを送信する。１つの例では、各ノードＢ ２０は、データキュー１７２を保持し、それは、遠隔局１０へ送信されるデータを格納している。
【００５１】
各データパケットについて、チャネル・エレメント１６８は、制御フィールドを挿入する。１つの例では、チャネル・エレメント１６８は、データパケットおよび制御フィールドの巡回冗長検査（ＣＲＣ）符号化を実行して、コード・テールビット（tail bits）のセットを挿入する。データパケット、制御フィールド、ＣＲＣパリティビット、およびコード・テールビットは、フォーマットされたパケットを構成する。チャネル・エレメント１６８は、次に、フォーマットされたパケットを符号化して、符号化されたパケット内のシンボルをインタリーブする（または並べ替える）。インタリーブされたパケットは、ウォルシュ符号を用いてカバーされ、短いＰＮＩ符号およびＰＮＱ符号を用いて拡散される。拡散されたデータは、ＲＦユニット１７０に提供され、それは、この信号を直交変調し、濾波し、増幅する。ダウンリンク信号は、ダウンリンクへアンテナを通じて無線で送信される。
【００５２】
ユーザ機器１０では、ダウンリンク信号は、アンテナによって受信され、受信機に送られる。受信機は、この信号を、濾波し、増幅し、直交復調し、量子化する。デジタル化された信号は、復調器（ＤＥＭＯＤ）に提供され、そこで、短いＰＮＩ符号およびＰＮＱ符号を用いて逆拡散され、ウォルシュ・カバーを用いて逆カバーされる。復調されたデータは、ノードＢ ２０で行われた信号処理機能の逆（具体的には、デインタリービング、復号化、およびＣＲＣチェック機能）を実行する復号器に提供される。復号化されたデータは、データシンクへ提供される。
【００５３】
図１０は、本特許出願によるＵＥ １０の例を例示しており、そこでＵＥ １０は、（ＰＡ ３０８を含む）送信回路２６４、受信回路４０８、スロットル制御３０６、復号化プロセスユニット２５８、処理ユニット３０２、およびメモリ４１６を含んでいる。
【００５４】
処理ユニット３０２は、ＵＥ １０のオペレーションを制御する。処理ユニット３０２は、ＣＰＵとも称されうる。メモリ４１６（これは、読み出し専用メモリ（ＲＯＭ）およびランダム・アクセス・メモリ（ＲＡＭ）の両方を含みうる）は、処理ユニット３０２に命令およびデータを提供する。メモリ４１６の一部は、不揮発性ランダム・アクセス・メモリ（ＮＶＲＡＭ）も含みうる。
【００５５】
ＵＥ １０（これは、携帯電話のような無線通信デバイスで具体化されうる）はまた、ＵＥ １０と遠隔地との間で、オーディオ通信のような、データの送信および受信を可能にするための送信回路２６４および受信回路４０８を含むハウシングを含みうる。送信回路２６４および受信回路４０８は、アンテナ３１８に結合されうる。
【００５６】
ＵＥ １０の様々なコンポーネントは、データバスに加えてパワーバス、制御信号バス、およびステータス信号バスを含みうるバスシステム２６３０によって、相互に結合される。しかしながら、明確化のために、様々なバスは、バスシステム２６３０として図１０に例示されている。ＵＥ １０はまた、信号処理で使用される処理ユニット３０２を含みうる。また、パワー制御装置３０６、復号化プロセッサ２５８、およびパワー増幅器３０８が示されている。
【００５７】
図３−８に例示されたステップは、ＵＥ １０におけるメモリ４１６中に配置されたソフトウェアまたはファームウェア４２の形式の命令として格納されうる。これらはまた、ノードＢ ２０におけるメモリ１６１中に配置されたソフトウェアまたはファームウェア４３の形式で格納されうる。
【００５８】
当業者は、情報と信号が、任意の様々な異なる技術および手法を用いて表わされうることを理解するであろう。例えば、上の説明の全体にわたって参照されうるデータ、命令、コマンド、情報、信号、ビット、シンボル、およびチップは、電圧、電流、電磁波、磁場または磁性粒子、光電場または光粒子、あるいはそれらの任意の組み合わせによって表わされうる。
【００５９】
当業者は、本開示と関連して説明された、様々な例示的な論理ブロック、モジュール、回路、およびアルゴリズムのステップが、電子ハードウェア、コンピュータ・ソフトウェア、または両方の組み合わせとしてインプリメント（implemented）されうることを更に理解するであろう。このハードウェアとソフトウェアの互換性を明確に例示するために、様々な例示的なコンポーネント、ブロック、モジュール、回路、およびステップが、概してそれらの機能の観点で上に説明された。このような機能が、ハードウェアとしてインプリメントされるか、あるいはソフトウェアとしてインプリメントされるかは、システム全体に課された特定のアプリケーションおよび設計の制約に依存する。当業者は、説明された機能を各々の特定のアプリケーションに関する多様な仕方（ways）において、インプリメントしうるが、このようなインプリメンテーションを決定することは、本発明の範囲から逸脱すると解釈されるべきではない。
【００６０】
ここに開示された例に関連して説明された、様々な例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、またはここに説明された機能を実行するように設計される他のプログラマブル論理デバイス、ディスクリート・ゲートまたはトランジスタ論理、ディスクリート・ハードウェア・コンポーネント、あるいはこれらの任意の組み合わせを用いてインプリメントまたは実行されうる。汎用プロセッサは、マイクロプロセッサであることができるが、代わりにおいて、このプロセッサは、任意の従来型プロセッサ、制御装置、マイクロコントローラ、またはステートマシンであることができる。プロセッサはまた、コンピューティング・デバイス、例えば、ＤＳＰとマイクロプロセッサの組み合わせ、複数のマイクロプロセッサ、ＤＳＰコアと結合している１つまたは複数のマイクロプロセッサ、あるいはその他任意のこのような構成、の組み合わせとしてインプリメントされうる。
【００６１】
ここに開示された例に関連して説明された方法またはアルゴリズムのステップは、ハードウェア、プロセッサによって実行されるソフトウェア・モジュール、あるいはこれら２つの組み合わせにおいて直接具体化されうる。ソフトウェア・モジュールは、ランダム・アクセス・メモリ（ＲＡＭ）、フラッシュ・メモリ、読み出し専用メモリ（ＲＯＭ）、電気的プログラマブルＲＯＭ（ＥＰＲＯＭ）、電気的消去可能プログラマブルＲＯＭ（ＥＥＰＲＯＭ）、レジスタ、ハード・ディスク、取り外し可能ディスク、ＣＤ−ＲＯＭ、あるいは当技術において知られているその他任意の形態の記憶媒体において存在しうる。典型的な記憶媒体は、プロセッサがこの記憶媒体から情報を読み出し、またこの記憶媒体に情報を書き込めるように、プロセッサに結合される。代わりにおいて、記憶媒体はプロセッサに統合されうる。プロセッサおよび記憶媒体は、ＡＳＩＣ内に存在しうる。ＡＳＩＣは、ユーザ端末内に存在しうる。代わりにおいて、プロセッサと記憶媒体は、ユーザ端末におけるディスクリート・コンポーネントとして存在しうる。
【００６２】
１つまたは複数の例では、説明された機能は、ハードウェア、ソフトウェア、ファームウェアまたはこれらの任意の組み合わせにおいてインプリメントされうる。ソフトウェアにおいてインプリメントされる場合、これらの機能は、コンピュータ可読媒体上で、１つまたは複数の命令またはコードとして送信または格納されうる。コンピュータ可読媒体は、１つの場所から別の場所へのコンピュータ・プログラムの転送を容易にする任意の媒体を含む通信媒体と、コンピュータ記憶媒体との両方を含む。記憶媒体は、コンピュータによってアクセスされうる任意の利用可能な媒体でありうる。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置デバイス、またはデータ構造または命令の形式で所望のプログラム・コードを格納または搬送するために使用されることが可能で、且つ、コンピュータによってアクセスされうるその他任意の記憶媒体を具備しうる。また、任意の接続が、コンピュータ可読媒体と厳密には称されうる。例えば、ソフトウェアが、同軸ケーブル、光ファイバーケーブル、ツイストペア、デジタル加入者回線（ＤＳＬ）、または赤外線、電波、およびマイクロ波のような無線技術を使用して、ウェブサイト、サーバまたは他の遠隔ソースから送信される場合、この同軸ケーブル、光ファイバーケーブル、ツイストペア、ＤＳＬ、または赤外線、電波、およびマイクロ波のような無線技術は、媒体の定義に含まれる。ここで使用される場合、ディスク（disk）およびディスク（disc）は、コンパクト・ディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は、通常磁気的にデータを再生し、一方ディスク（discs）は、レーザーを用いて光学的にデータを再生する。上記のものの組み合わせもまた、コンピュータ可読媒体の範囲に含まれるべきである
開示された例についての前の説明は、何れの当業者が、開示された本発明を製造または使用することを可能にするために提供されている。これらの例への様々な修正は、当業者にとって容易に明白であることができ、ここに定義された包括的な原理は、本開示の趣旨または範囲から逸脱することなく、他の例に適用されうる。したがって、本発明は、ここに示されている例に制限されるようには意図されず、ここに開示されている原理および新規な特徴と一致する最も広い範囲を与えられることとなる。
【００６３】
したがって、本発明は、次の特許請求の範囲との一致を除いては、制限されるべきではない。
【図１】
2012525798.tif 000003
【図２】
2012525798.tif 000004
【図３】
2012525798.tif 000005
【図４】
2012525798.tif 000006
【図５】
2012525798.tif 000007
【図６】
2012525798.tif 000008
【図７】
2012525798.tif 000009
【図８】
2012525798.tif 000010
【図９】
2012525798.tif 000011
【図１０】
2012525798.tif 000012
【国際調査報告】
2012525798.tif 000013
2012525798.tif 000014